(57)【要約】【課題】接続配線を固定するための部材を不要にしつつ、接続配線に手が触れにくいようにすることが可能な空気調和装置の室内機を提供する。【解決手段】  天井に設置される室内ユニット４が、ドレンポンプ本体４６ｂおよびドレンポンプ用配線４６ａを有するドレンポンプ４６を有しており、このドレンポンプ４６は、室内熱交換器４２および室内ファン４１が配置された空間に設けられている。ドレンパン４０は、室内熱交換器４２の下方に配置されている。電装品箱８０は、ドレンポンプ用配線４６ａが接続される室内制御基板８１を内部に有している。ドレンパン４０とベルマウス４５との間には通路Ｐが形成されており、ドレンポンプ用配線４６ａは、この通路Ｐを通過することにより、ドレンポンプ本体４６ｂから室内制御基板８１まで延びている。【選択図】図１２
2011153749.tif 000002
【特許請求の範囲】
【請求項１】
天井に設置され、熱交換器（４２）およびファン（４１）を有する空気調和装置（１）の室内機（４、２０４、３０４、４０４）において、
前記ファンに空気流れを導くベルマウス（４５）と、
電装部品本体（４６ｂ、４８ｂ）および前記電装部品本体から延びる接続配線（４６ａ、４８ａ）を有し、前記熱交換器および前記ファンが配置された空間に設けられている電装部品（４６、４８）と、
前記熱交換器の下方に配置され、前記熱交換器で生じるドレン水を受け止めるドレンパン（４０）と、
前記接続配線を介して前記電装部品本体と接続される基板（８１）を内部に有している電装品箱（８０）と、
を備え、
前記ドレンパンと前記ベルマウスとの間の少なくとも一部には通路（Ｐ）が形成されており、
前記接続配線は、前記通路を通過することにより、前記電装部品本体から前記基板まで延びている、
空気調和装置の室内機。
【請求項２】
前記通路は、前記接続配線が前記通路外に移動することを抑制する抑制構造（４５ｃ、２４５ｃ、４４５ａ）を有している、
請求項１に記載の空気調和装置の室内機（４、２０４、４０４）。
【請求項３】
前記ベルマウスおよび前記ドレンパンの少なくともいずれか一方は、前記抑制構造を構成するためのリブ（４５ｃ、２４５ｃ）を有している、
請求項２に記載の空気調和装置の室内機（４、２０４）。
【請求項４】
前記抑制構造（４５ｃ、２４５ｃ、４４５ａ）は、
前記ベルマウスおよび前記ドレンパンの少なくともいずれか一方を弾性変形させて、前記通路内に前記接続配線を入り込ませるための入口（Ｄ１）を生じさせた状態において、
前記ベルマウスと前記ドレンパンとの間であって前記入口以外の場所で生じた隙間（Ｄ２）に前記接続配線が入り込むことを抑制する、
請求項２または３のいずれか１項に記載の空気調和装置の室内機（４、２０４、４０４）。
【請求項５】
前記電装品箱と前記電装部品とは、前記ドレンパンおよび／または前記ベルマウスを隔てて配置されている、
請求項１から４のいずれか１項に記載の空気調和装置の室内機（４、２０４、３０４、４０４）。
【発明の詳細な説明】
【技術分野】
【０００１】
本発明は、空気調和装置の室内機に関する。
【背景技術】
【０００２】
空気調和装置の室内機には、ファンや各種弁等の部品を駆動制御するための制御基板が設けられている。この室内機の部品は、制御基板に対して電気的に接続されることで、制御が可能になっている。
【０００３】
例えば、特許文献１（特開２００１−３５５８７０号公報）に記載の空気調和装置の室内機では、内部に電気集塵器を備えており、この電気集塵器から延びる接続配線が制御基板に接続されている。そして、この電気集塵器から延びる接続配線は、吸い込み流路を縁取るように引きまわされて電装品箱まで到達し、制御基板に接続されている。
【発明の概要】
【発明が解決しようとする課題】
【０００４】
しかし、このような従来の空気調和装置の室内機では、接続配線は、ベルマウスやドレンパンの表面上を引きまわされて制御基板まで導かれているが、この接続配線を配置する場合には、ユーザの手が触れにくい配置が求められている。
【０００５】
本発明は上述した点に鑑みてなされたものであり、本発明の課題は、接続配線を固定するための部材を不要にしつつ、接続配線に手が触れにくいようにすることが可能な空気調和装置の室内機を提供することにある。
【課題を解決するための手段】
【０００６】
本発明の第１観点に係る空気調和装置の室内機は、天井に設置され、熱交換器およびファンを有する空気調和装置の室内機において、ベルマウス、電装部品、ドレンパンおよび電装品箱を備えている。ベルマウスは、ファンに空気流れを導く。電装部品は、電装部品本体および電装部品本体から延びる接続配線を有している。この電装部品は、熱交換器およびファンが配置された空間に設けられている。ドレンパンは、熱交換器の下方に配置され、熱交換器で生じるドレン水を受け止める。電装品箱は、接続配線を介して電装部品本体と接続される基板を内部に有している。ドレンパンとベルマウスとの間の少なくとも一部には通路が形成されている。接続配線は、通路を通過することにより、電装部品本体から基板まで延びている。
【０００７】
この空気調和装置の室内機では、ドレンパンの反対側にまで接続配線を導く場合であっても、ベルマウスとドレンパンの間の通路を通じさせることにより、ユーザの手が触れにくく、安全性を向上させることができる。
【０００８】
本発明の第２観点に係る空気調和装置の室内機は、第１観点に係る空気調和装置の室内機において、通路は、接続配線が通路外に移動することを抑制する抑制構造を有している。
【０００９】
この空気調和装置の室内機では、通路に配置された接続配線が意図しない場所に移動してしまうことを抑制できる。
【００１０】
本発明の第３観点に係る空気調和装置の室内機は、第２観点に係る空気調和装置の室内機において、ベルマウスおよびドレンパンの少なくともいずれか一方は、抑制構造を構成するためのリブを有している。
【００１１】
この空気調和装置の室内機は、抑制構造を実現させる場合に、ベルマウスとドレンパン以外の別部材が不要になる。
【００１２】
本発明の第４観点に係る空気調和装置の室内機は、第２観点もしくは第３観点に係る空気調和装置の室内機において、抑制構造は、ベルマウスおよびドレンパンの少なくともいずれか一方を弾性変形させて、通路内に接続配線を入り込ませるための入口を生じさせた状態において、ベルマウスとドレンパンとの間であって入口以外の場所で生じた隙間に接続配線が入り込むことを抑制する。
【００１３】
ベルマウスとドレンパンとの間のうち、弾性変形によって生じる入口部分については、接続配線の挟み込みが生じないように作業者が作業することは比較的容易である。しかし、入口以外の奥側においても隙間が生じる場合には、作業者が意図しない位置に接続配線が入り込んでしまうおそれがある。
【００１４】
これに対して、第４の観点の抑制構造が採用された空気調和装置の室内機では、入口以外において生じた隙間に接続配線が意図せず入り込んでしまうことを抑制させることができる。
【００１５】
本発明の第５観点に係る空気調和装置の室内機は、第１観点から第４観点のいずれかに係る空気調和装置の室内機において、電装品箱と電装部品とは、ドレンパンおよび／またはベルマウスを隔てて配置されている。
【００１６】
電装品箱と電装部品とが、ドレンパンおよび／またはベルマウスを隔てて配置されている場合には、ドレンパンおよび／またはベルマウスをまたぐように接続配線を通過させる必要がある。この場合には、接続配線の垂れ下がり部分が生じやすく、適宜留め具等を設けて支持する必要が生じうる。
【００１７】
これに対して、この第５観点の空気調和装置の室内機では、接続配線の垂れ下がり部分が生じやすい場合であっても、ドレンパンとベルマウスとの間に形成された通路によって接続配線を支持することができる。
【発明の効果】
【００１８】
本発明の第１観点に係る空気調和装置の室内機では、接続配線にユーザの手が触れにくく、安全性を向上させることができる。
【００１９】
本発明の第２観点に係る空気調和装置の室内機では、通路に配置された接続配線が意図しない場所に移動してしまうことを抑制できる。
【００２０】
本発明の第３観点に係る空気調和装置の室内機では、抑制構造を実現させる場合に、ベルマウスとドレンパン以外の別部材が不要になる。
【００２１】
本発明の第４観点に係る空気調和装置の室内機では、入口以外において生じた隙間に接続配線が意図せず入り込んでしまうことを抑制させることができる。
【００２２】
本発明の第５観点に係る空気調和装置の室内機では、接続配線の垂れ下がり部分が生じやすい場合であっても、ドレンパンとベルマウスとの間に形成された通路によって接続配線を支持することができる。
【図面の簡単な説明】
【００２３】
【図１】本実施形態の室内ユニットを備える空気調和装置の冷媒回路図である。
【図２】室内ユニットの外観斜視図である。
【図３】室内ユニットの上面視における内部概略配置構成図である。
【図４】室内ユニットの図３におけるＡ−Ａ断面の内部概略配置構成図である。
【図５】室内ユニットの図３におけるＢ−Ｂ断面の内部概略配置構成図である。
【図６】室内ユニットの下面視の外観構成図である。
【図７】室内機本体の下面視の概略構成図である。
【図８】ベルマウスを斜め下から見上げた際の概略外観斜視図である。
【図９】電装品箱の外観概略構成図である。
【図１０】大蓋を取り除いた状態の電装品箱および室内制御基板の上面視概略図である。
【図１１】室内機本体を斜め下から見上げた際の概略外観斜視図である。
【図１２】接続配線が通過する様子を示す側面視断面図である。
【図１３】配線の配置作業の途中におけるベルマウスの弾性変形状態を示す側面視断面図である。
【図１４】変形例Ａに係る接続配線が通過する様子を示す側面視断面図である。
【図１５】変形例Ｂに係る接続配線が通過する様子を示す側面視断面図である。
【図１６】変形例Ｃに係る接続配線が通過する様子を示す側面視断面図である。
【発明を実施するための形態】
【００２４】
＜第１実施形態＞
（１）全体構成
図１に、本発明の一実施形態が採用された室内ユニット４を有する空気調和装置１の概略構成図を示す。
【００２５】
空気調和装置１の室内ユニット４は、天井に設置されるタイプであり、８つの吹出口を有し、そのうち４つの吹出口からの吹き出し角度をそれぞれ独立制御可能な機能を有している。この室内ユニット４を有する空気調和装置１は、スプリットタイプの空気調和装置であり、主として、前述の室内ユニット４、室外ユニット２、室外ユニット２と室内ユニット４とを接続する液冷媒連絡管５およびガス冷媒連絡管６、および、制御部７を有しており、蒸気圧縮式の冷媒回路１０を構成している。
【００２６】
（２）詳細構成
（２−１）室外ユニット２
室外ユニット２は、室外等に設置されており、主として、圧縮機２１、四路切換弁２２、室外熱交換器２３、膨張弁２４、液側閉鎖弁２５、ガス側閉鎖弁２６、室外ファン２７、室外温度センサ２８、および、室外制御基板２９を有している。
【００２７】
圧縮機２１は、低圧のガス冷媒を吸入し、圧縮して高圧のガス冷媒とした後に吐出するための圧縮機である。
【００２８】
四路切換弁２２は、冷房と暖房との切換時に、冷媒の流れの方向を切り換えるための弁である。四路切換弁２２は、冷房時には、圧縮機２１の吐出側と室外熱交換器２３のガス側とを接続するとともにガス側閉鎖弁２６と圧縮機２１の吸入側とを接続することが可能である（図１における四路切換弁２２の実線を参照）。また、四路切換弁２２は、暖房時には、圧縮機２１の吐出側とガス側閉鎖弁２６とを接続するとともに室外熱交換器２３のガス側と圧縮機２１の吸入側とを接続することが可能である（図１における四路切換弁２２の破線を参照）。
【００２９】
室外熱交換器２３は、冷房時には冷媒の凝縮器として機能し、暖房時には冷媒の蒸発器として機能する熱交換器である。室外熱交換器２３は、その液側が膨張弁２４に接続されており、ガス側が四路切換弁２２に接続されている。
【００３０】
膨張弁２４は、冷房時には室外熱交換器２３において凝縮された高圧の液冷媒を室内熱交換器４２（後述）に送る前に減圧し、暖房時には室内熱交換器４２において凝縮された高圧の液冷媒を室外熱交換器２３に送る前に減圧することが可能な電動膨張弁である。
【００３１】
液側閉鎖弁２５およびガス側閉鎖弁２６は、外部の機器・配管（具体的には、液冷媒連絡管５およびガス冷媒連絡管６）との接続口に設けられた弁である。液側閉鎖弁２５は、膨張弁２４に接続されている。ガス側閉鎖弁２６は、四路切換弁２２に接続されている。
【００３２】
室外ファン２７は、室外ユニット２の内部に配置され、室外空気を吸入して、室外熱交換器２３に室外空気を供給した後に、ユニット外に排出する空気の流れを生じさせる。このため、室外熱交換器２３は、室外空気を冷却源又は加熱源として冷媒を凝縮や蒸発させる機能を有している。
【００３３】
室外温度センサ２８は、室外ユニット２の内部に配置されており、室外温度を検出し、室外制御基板２９を介して制御部７に伝える。
【００３４】
室外制御基板２９は、室外ユニット２の内部に配置されており、制御部７からの指令を受けて、室外ユニット２の構成機器の駆動制御を行う。
【００３５】
（２−２）室内ユニット４
図２に、室内ユニット４の外観斜視図を示す。図３に、室内ユニット４の上面視における内部概略配置構成図を示す。図４に、室内ユニット４の図３中のＡ−Ａ断面における内部概略配置構成図を示す。図５に、室内ユニット４の図３中のＢ−Ｂ断面における内部概略配置構成図を示す。図６に、室内ユニット４の下面視の外観構成図を示す。図７に、室内ユニット４の室内機本体１１の下面視平面図を示す。
【００３６】
室内ユニット４は、図３に示すように、室内機本体１１と、化粧パネル構造体１２と、を有している。
【００３７】
（２−２−１）室内機本体１１
室内機本体１１は、図４および図５に示すように、室内ユニット４の上方部分を構成しており、本体ケーシング３１、室内ファン４１、室内熱交換器４２、ドレンパン４０、ベルマウス４５、電装品箱８０、室内温度センサ４３、ドレンポンプ４６、ドレン排出管４７、フロートスイッチ４８等を有している。
【００３８】
本体ケーシング３１は、図２および図３に示すように、その平面視において、長辺と短辺とが交互に繰り返し配置された略８角形状の箱状体である。この本体ケーシング３１は、板金製であり、下面側が開口している。この本体ケーシング３１は、略８角形状の天板３３ａ、および、天板３３ａの周縁部から下方に延びる側板３４を有している。側板３４は、天板３３ａの長辺に対応する側板３４ａ、３４ｂ、３４ｃ、３４ｄと、天板３３ａの短辺に対応する側板３４ｅ、３４ｆ、３４ｇ、３４ｈとから構成されている。
【００３９】
なお、図１、図５および図６に示すように、室内ユニット４には、下方中央の吸込口３５、および、この吸込口３５の周囲を一周している吹出口３６が設けられている。そして、室内機本体１１および化粧パネル構造体１２の両方をまたぐようにして、吸込口３５から吹出口３６に向かう空気流路が設けられている。この空気流路は、吸込口３５から本体ケーシング３１内部に室内空気を取り込むための吸込流路３５ａと、調和空気を室内に吹き出すための各吹出流路５１ａ、５２ａ、５３ａ、５４ａ、６１ａ、６２ａ、６３ａ、６４ａがある。
【００４０】
室内ファン４１は、本体ケーシング３１の内部に配置された、遠心送風機であるターボファンによって構成されている。室内ファン４１は、吸込口３５を通じて室内の空気を本体ケーシング３１内に吸入し、吹出口３６を通じて本体ケーシング３１外へ吹き出す空気の流れを生じさせる。室内ファン４１は、本体ケーシング３１の天板３３ａの中央に設けられたファンモータ４１ａと、ファンモータ４１ａに連結されて回転駆動される羽根車４１ｂとを有している。羽根車４１ｂは、ターボ翼を有する羽根車であり、下方から羽根車４１ｂの内部に空気を吸入し、平面視における羽根車４１ｂの外周側に向かって吹き出す。なお、図９に示すように、ファンモータ４１ａからは、電装品箱８０の室内制御基板８１に接続するための室内ファン用配線４１ｄが延びている。
【００４１】
室内熱交換器４２は、図３に示すように、平面視における室内ファン４１の周囲を囲むように曲げられて本体ケーシング３１の内部に配置されたフィンチューブ型熱交換器である。より具体的には、室内熱交換器４２は、所定間隔を空けて配置された多数の伝熱フィン、および、これらの伝熱フィンを板厚方向に貫通している複数の伝熱管を有しているクロスフィン型と呼ばれる熱交換器である。
【００４２】
室内熱交換器４２の液側は、上記のように、液側接続管５ａを介して液冷媒連絡管５に接続されている。室内熱交換器４２のガス側は、ガス側接続管６ａを介してガス冷媒連絡管６に接続されている。そして、室内熱交換器４２は、冷房時には、冷媒の蒸発器として、暖房時には、冷媒の凝縮器として機能するようになっている。これにより、室内熱交換器４２は、室内ファン４１から吹き出された空気と熱交換を行って、冷房時には空気を冷却し、暖房時には空気を加熱することができるようになっている。なお、液冷媒連絡管５やガス冷媒連絡管６に接続するための液側接続管５ａやガス側接続管６ａは、側板３４ｈを貫通して本体ケーシング３１の外側に延び出している。
【００４３】
ドレンパン４０は、図３、図４、図５および図７に示すように、室内熱交換器４２の下側に配置され、室内熱交換器４２において空気中の水分が凝縮して生じるドレン水を受けとる。このドレンパン４０は、本体ケーシング３１内の下方位置に装着されている。このドレンパン４０には、図３および図５に示すように、吹出開口部４０ａと、吸入開口部４０ｂと、ドレン水受け溝４０ｃ、および、通路上壁部４０ｘ、通路外壁部４０ｙが形成されている。吹出開口部４０ａは、吹出口３６に連通するように各所に形成されており、各吹出流路５１ａ、５２ａ、５３ａ、５４ａ、６１ａ、６２ａ、６３ａ、６４ａの一部を構成している。吸入開口部４０ｂは、吸込口３５に連通するように形成されており、吸込流路３５ａの一部を構成している。ドレン水受け溝４０ｃは、室内熱交換器４２の下側において、ドレン水を保持できるように下方に凹んで形成されている。
【００４４】
通路上壁部４０ｘは、図５に示すように、吸入開口部４０ｂの内側壁面から外側に向けて略水平に広がった面であり、下方を向いている。この通路上壁部４０ｘは、ベルマウス４５の一部との間で通路Ｐを形成する際の上側の壁面として機能する。
【００４５】
通路外壁部４０Ｐは、図５に示すように、通路上壁部４０ｘの外側端部から下方に向けて広がった面であり、内側を向いている。この通路外壁部４０ｙは、ベルマウス４５の一部との間で通路Ｐを形成する際の外側の壁面として機能する。
【００４６】
ベルマウス４５は、図３、図４および図５に示すように、径方向外側がドレンパン４０の吸入開口部４０ｂの内側に沿うように配置されており、吸込口３５から吸入される空気を室内ファン４１の羽根車４１ｂへと導く。このベルマウス４５は、樹脂による成型品である。
【００４７】
このベルマウス４５は、斜め下から見上げた際の概略外観斜視である図８に示すように、通路内壁板４５ａ、通路下壁板４５ｂ、ガードリブ４５ｃ、内側防風板４５ｇ、下側防風板４５ｈ、電装品箱面４５ｘ、ガイド曲面部４５ｍ、および、三角面部４５ｓを一体化された状態で有している。
【００４８】
通路内壁板４５ａは、図４に示すように、略鉛直方向下方側に向けて立っている面であり、設置状態において、ドレンパン４０との間に形成される通路Ｐの内側の壁面を構成する。
【００４９】
通路下壁板４５ｂは、設置状態において、ドレンパン４０との間に形成される通路Ｐの下側の壁面を構成する。
【００５０】
ガードリブ４５ｃは、図４に示すように、通路内壁板４５ａの上端近傍から通路下壁板４５ｂと面平行となるように外側に向けて突出したリブである。このガードリブ４５ｃは、通路内壁板４５ａの長手方向に２箇所、間を隔てて設けられている。このガードリブ４５ｃは、上述したドレンパン４０との間の通路Ｐに接続配線を通過させた状態で、接続配線の通路Ｐ外部に逃げ出そうとする動きを抑制する。
【００５１】
内側防風板４５ｇは、図４に示すように、設置状態において、ドレンパン４０との間に形成される通路Ｐの電装品箱８０側端部と、電装部品８０側に設けられた本体用開口８７（図９参照）との間の空間を内側から覆うように設けられている。
【００５２】
下側防風板４５ｈは、設置状態において、ドレンパン４０との間に形成される通路Ｐの電装品箱８０側端部と、電装部品８０側に設けられた本体用開口８７との間の空間を下側から覆うように設けられている。
【００５３】
電装品箱面４５ｘは、下面側に電装品箱８０を配置するために平坦に形成された面であり、図８に示すように、その下面側に電装品箱８０が固定される。
【００５４】
ガイド曲面部４５ｍは、上方に上がるにつれて外径が小さくなるようにしつつ、内側に反り出るように湾曲している。
【００５５】
三角面部４５ｓは、側板３４ｇ側において略三角形状であって略水平に広がって形成されており、その上面側がドレンパン４０の下面側と面接触する部分を有している。
【００５６】
ドレンポンプ４６は、ドレンポンプ本体４６ｂおよびドレンポンプ用配線４６ａを有している。ドレンポンプ本体４６ｂは、ドレンパン４０内部に溜まったドレン水を室内機本体１１の外部へ排水させるためのポンプである。このドレンポンプ本体４６ｂによる排水は、ドレン排出管４７を通じて行われる。ドレンポンプ用配線４６ａは、図９に示すように、電装品箱８０の室内制御基板８１に接続するためにドレンポンプ本体４６ｂから延びている配線である。このドレンポンプ用配線４６ａは、配線接続を終えた設置状態において、ドレンパン４０とベルマウス４５との間の通路Ｐを通過するように配置される。また、ドレンポンプ用配線４６ａは、通路Ｐによって覆われる部分以外については、チューブを二重に設けることで二重絶縁状態を確保し、安全性を向上させている。
【００５７】
フロートスイッチ４８は、フロートスイッチ本体４８ｂおよびフロートスイッチ用配線４８ａを有している。フロートスイッチ本体４８ｂは、ドレンパン４０の内部に溜まるドレン水の水位を検出する。フロートスイッチ用配線４８ａは、図９に示すように、電装品箱８０の室内制御基板８１に接続するためにフロートスイッチ本体４８ｂから延びている配線である。フロートスイッチ４８は、このフロートスイッチ用配線４８ａを通じて制御部７と通信し、ドレンポンプ本体４６ｂを作動させる。このフロートスイッチレン用配線４８ａも、ドレンポンプ用配線４６ａと同様に、配線接続を終えた設置状態において、ドレンパン４０とベルマウス４５との間の通路Ｐを通過するように配置される。また、フロートスイッチレン用配線４８ａも、同様に、通路Ｐによって覆われる部分以外については、チューブを二重に設けることで二重絶縁状態を確保し、安全性を向上させている。
【００５８】
室内温度センサ４３は、本体ケーシング３１の内部であって、室内熱交換器４２に対して空気流れ方向下流側に配置されており、室内温度の検出を行う。なお、この室内温度センサ４３からも、図９に示すように、電装品箱８０の室内制御基板８１に接続するための室内温度センサ用配線４３ａが延びている。
【００５９】
電装品箱８０は、図４、図７および図８に示すように、室内機本体１１の内部下方であって、ドレンパン４０の径方向内側に配置され、ベルマウス４５の電装品箱面４５ｘの下面側で固定されている。この電装品箱８０の下面は、ドレンパン４０の下面とともに、室内機本体１１の下面を構成している。この電装品箱８０の内部には、図１０に示すように、室内制御基板８１が配置されている。室内制御基板８１には、室内ユニット４に内蔵された各種電装部品が接続されている。この電装部品のうち、室内機本体１１に内蔵された電装部品としては、室内ファン４１（ファンモータ４１ａ）、室内温度センサ４３、ドレンポンプ４６およびフロートスイッチ４８等がある。また、化粧パネル構造体１２に内蔵された電装部品としては、後述する掃除機構部１８、人検知センサ４４および風向調節部７０がある。このため、室内制御基板８１は、図１０に示すように、室内機本体１１側の電装部品を接続するための対象接続部分１１ａｃ、および、化粧パネル構造体１２側の電装部品を接続するための対象接続部分４４ａｃ、７５ａｃを有している。
【００６０】
なお、上述した室内機本体１１のうち、空気流れの流路となる部分の周囲には、図１２に示すような断熱材３８が配置されている。
【００６１】
（２−２−２）化粧パネル構造体１２
化粧パネル構造体１２は、図４および図５に示すように、室内ユニット４の下方部分を構成しており、天井に設置されている室内機本体１１に対して取り付けられる。この化粧パネル構造体１２は、化粧パネル本体３２およびフラップ駆動部１５を有している。
【００６２】
（化粧パネル本体３２）
化粧パネル本体３２は、図３に示すように、室内ユニット４の下面を構成する略４角形状のパネルである。この化粧パネル本体３２は、図１および図６に示すように、吸込グリル３２ａ、内枠パネル３７、および、外枠パネル３８によって構成されている。
【００６３】
吸込グリル３２ａは、室内ユニット４の下面中央に配置された、略四角形状のパネルであり、吸込口３５を有している。この吸込口３５の空気流路下流側には、上述した吸込流路３５ａが繋がっている。
【００６４】
内枠パネル３７は、吸込口３５を周囲から覆うようにして室内ユニット４の下面のうち吸込口３５と吹出口３６との間を覆っている。
【００６５】
外枠パネル３８は、吹出口３６の外側において、室内ユニット４の下面を覆っている。
【００６６】
この内枠パネル３７と外枠パネル３８との間に設けられている吹出口３６は、図６に示すように、長辺吹出口５０と短辺吹出口６０とが交互に並べられながら略環状に形成されている。
【００６７】
長辺吹出口５０は、吸込口３５の略四角形状における各辺に対応する位置に設けられた第１長辺吹出口５０ａ、第２長辺吹出口５０ｂ、第３長辺吹出口５０ｃ、および、第４長辺吹出口５０ｄの４つの吹出口から構成されている。なお、第１長辺吹出口５１、第２長辺吹出口５２、第３長辺吹出口５３および第４長辺吹出口５４には、それぞれ第１長辺吹出流路５１ａ、第２長辺吹出流路５２ａ、第３長辺吹出流路５３ａ、第４長辺吹出流路５４ａが繋がっており、室内ファン４１が駆動することでそれぞれ空気流れＦ５１、Ｆ５２、Ｆ５３、Ｆ５４が生じる。
【００６８】
短辺吹出口６０は、吸込口３５の略四角形状における角部分に対応する位置に設けられた第１短辺吹出口６１、第２短辺吹出口６２、第３短辺吹出口６３、および、第４短辺吹出口６４の４つの吹出口から構成されている。なお、第１短辺吹出口６１、第２短辺吹出口６２、第３短辺吹出口６３および第４短辺吹出口６４には、それぞれ第１短辺吹出流路６１ａ、第２短辺吹出流路６２ａ、第３短辺吹出流路６３ａ、第４短辺吹出流路６４ａが繋がっており、室内ファン４１が駆動することでそれぞれ空気流れＦ６１、Ｆ６２、Ｆ６３、Ｆ６４が生じる。
【００６９】
なお、第４長辺吹出流路５４ａと、第４短辺吹出流路６４ａとは、下流側において分岐しており、図６に示すように、上流側においては繋がって一体となっている。
【００７０】
（フラップ駆動部１５）
フラップ駆動部１５は、図４に示すように、化粧パネル本体３２の上方であって、室内機本体１１の下方に位置しており、エアフィルタ３９、掃除機能部１８、人検知センサ４４、および、風向調節部７０等を有している。
【００７１】
エアフィルタ３９は、吸込流路３５ａの途中におけるベルマウス４５の内側開口に対向する位置に設けられており、室内空間から室内機本体１１に取り込む空気をフィルタリングする。
【００７２】
掃除機構部１８は、吸込流路３５ａの途中において、エアフィルタ３９に対する空気流れ方向上流側（室内空間側）に配置されており、エアフィルタ３９に付着した埃等を掻き集める機能を有している。なお、この掃除機構部１８からも室内制御基板８１への接続用の配線が延び出しているが、説明を省略する。
【００７３】
人検知センサ４４は、空調対象空間である室内に滞在しているユーザの位置を検出する赤外線センサである。この人検知センサ４４からは、上述した室内機本体１１の電装品箱８０内部の室内制御基板８１に接続するための人検知センサ用配線４４ａが延びている。室内制御基板８１と人検知センサ４４とがこの人検知センサ用配線４４ａを介して接続されることにより、制御部７は、人検知センサ４４による検知結果を用いた制御が可能になっている。この人検知センサ用配線４４ａは、図１０に示すように、コード部分４４ａａと、コード部分４４ａａの先端に設けられた接続端子４４ａｂを有している。
【００７４】
風向調節部７０は、図２、図５、および、図６に示すように、４つのフラップ７１、７２、７３、７４、および、これらのフラップ７１、７２、７３、７４の傾斜角度を変更させるフラップ駆動モータ７５を有している。４つのフラップ７１、７２、７３、７４は、各吹出流路５１ａ、５２ａ、５３ａ、５４ａを形成している第１長辺吹出口５０ａ、第２長辺吹出口５０ｂ、第３長辺吹出口５０ｃおよび第４長辺吹出口５０ｄの４つの吹出口の位置にそれぞれ配置されている。フラップ駆動モータ７５からは、上述した室内機本体１１の電装品箱８０内部の室内制御基板８１に接続するためのフラップ駆動モータ用配線７５ａが延びている。このフラップ駆動モータ用配線７５ａは、図１０に示すように、コード部分７５ａａと、コード部分７５ａａの先端に設けられた接続端子７５ａｂを有している。室内制御基板８１とフラップ駆動モータ７５とがこのフラップ駆動モータ用配線７５ａを介して接続されることにより、制御部７は、フラップ駆動モータ７５の動作を制御してフラップ７１、７２、７３、７４の傾斜角度を独立して調節することが可能になる。
【００７５】
なお、図１０に示すように、人検知センサ用配線４４ａのコード部分４４ａａと、フラップ駆動モータ用配線７５ａのコード部分７５ａａと、は抜け防止部材としてのナイロンクランプ１９によってまとめられている。このナイロンクランプ１９によってまとめられた部分は、電装品箱８０の内部に入っており、図９に示すように、後述する化粧パネル用開口８８を小蓋８５で塞いだ状態で残る隙間Ｓを通過できない大きさとなっている。これにより、人検知センサ用配線４４ａやフラップ駆動モータ用配線７５ａの抜け落ちを防ぎつつ、引っ張られた際に接続端子４４ａｂ、７５ａｂにかかる負荷を小さくすることができる。
【００７６】
（３）制御部７
制御部７は、図１に示すように、室内制御基板８１、室外制御基板２９、および、コントローラ７ａが接続されることで構成されている。この制御部７は、室内制御基板８１、室外制御基板２９、および、コントローラ７ａの間で情報や各種指令を相互にやり取りすることで、空気調和装置１の運転制御を行っている。
【００７７】
なお、コントローラ７ａには、４つのフラップ７１、７２、７３、７４の傾斜状態を調節する風向調節制御モードを行うことについて、ユーザからの指示を受け付ける機能が設けられている。なお、コントローラ７ａは、さらに、４つのフラップ７１、７２、７３、７４について、個別のスイング運転の設定等も受け付けることができる。この風向調節制御モードの指示を受け付けると、制御部７は、フラップ駆動モータ７５の作動制御を行い、４つのフラップ７１、７２、７３、７４の傾斜角度をそれぞれ独立に制御する。
【００７８】
（４）電装品箱８０の詳細構造
図９の外観概略図および図１０の内部構成概略図において示すように、電装品箱８０は、電装品箱本体８３、大蓋８６および小蓋８５を有している。
【００７９】
電装品箱本体８３は、下面側が大きく開口した板金製の箱形状であって、内部に上述した室内制御基板８１を収容している。
【００８０】
電装品箱本体８３には、本体用切り欠き８３ａが設けられている。本体用切り欠き８３ａは、室内機本体１１側の電装部品である室内ファン４１、室内温度センサ４３、ドレンポンプ４６およびフロートスイッチ４８からそれぞれ延びている室内ファン用配線４１ｄ、室内温度センサ用配線４３ａ、ドレンポンプ用配線４６ａおよびフロートスイッチ用配線４８ａを通過させるための切り欠きである。この本体用切り欠き８３ａは、電装品箱本体８３の長手方向の一端側である側板３４ｃ側（図３参照）に設けられている。このため、側板３４ｃ側には、液側接続管５ａ、ガス側接続管６ａ、上記各種配線４１ｄ、４３ａ、４６ａ、４８ａ、および、各機器４１、４３、４６、４８が集中して配置されており、メンテナンスを行いやすくなっている。
【００８１】
電装品箱本体８３には、長手方向において本体用切り欠き８３ａが設けられている側とは反対側に、さらに、化粧パネル用切り欠き８３ｂが設けられている。この化粧パネル用切り欠き８３ｂは、化粧パネル構造体１２側から延びているフラップ駆動モータ用配線７５ａや人検知センサ用配線４４ａを通過させるための切り欠きである。
【００８２】
大蓋８６は、電装品箱本体８３の下面側に大きく開いた開口に対応する形状を有しており、この開口を塞ぐように電装品箱本体８３に固定される板金製部材である。大蓋８６は、図示しない螺着によって電装品箱本体８３に固定される。この大蓋８６には、図９および図１０に示すように、電装品箱本体８３に螺着固定された状態で、電装品箱本体８３側の化粧パネル用切り欠き８３ｂに対応する位置に、大蓋切り欠き８６ａが形成されている。
【００８３】
このように大蓋８６が電装品箱本体８３に螺着固定された状態で、図９に示すように、本体用切り欠き８３ａの縁と大蓋８６の縁との間において、本体用開口８７が形成されるようになっている。これにより、大蓋８６を電装品箱本体８３に螺着固定した状態でも、本体用開口８７が塞がれないように構成されている。
【００８４】
また、大蓋８６が電装品箱本体８３に螺着固定された状態で、化粧パネル用切り欠き８３ｂの縁と大蓋８６の大蓋切り欠き８６ａの縁との間において、化粧パネル用開口８８（図９の点線で縁取った部分）が形成されるようになっている。
【００８５】
小蓋８５は、大蓋８６に対してヒンジ８５ａを介して回動可能に支持されており、大蓋８６の大蓋切り欠き８６ａに対して嵌め込んで閉じることができる黒い樹脂製部材である。この小蓋８５は、ヒンジ８５ａとは反対側端部において固定部８５ｂを有している。小蓋８５が閉じられた状態では、この固定部８５ｂが電装品箱本体８３側に引っかかるようになっている。
【００８６】
なお、小蓋８５は、電装品箱本体８３に対して大蓋８６が螺着固定された状態で形成される化粧パネル用開口８８を、図９に示すような隙間Ｓを残しつつ塞ぐことができる形状を有している。具体的には、小蓋８５は、閉じた状態では、大蓋８６の面上において大蓋切り欠き８６ａ部分については全体を覆っており、電装品箱本体８３の化粧パネル用切り欠き８３ｂの部分については化粧パネル用切り欠き８３ｂの縁部との間に鉛直方向に広がる隙間Ｓが残るように覆っている。これにより、大蓋８６を電装品箱本体８３に螺着固定した状態でも、化粧パネル用開口８８が完全には塞がれないように構成されている。
【００８７】
室内制御基板８１は、電装部品から延びる配線が接続される対象接続部分１１ａｃ、４４ａｃ、７５ａｃを有している。図１０に示すように、これらの対象接続部分１１ａｃ、４４ａｃ、７５ａｃのうち、室内機本体１１側の電装部品から延びる配線が接続される対象接続部分１１ａｃは、本体用開口８７近傍に位置するように配置されている。また、化粧パネル構造体１２側の電装部品から延びる配線が接続される対象接続部分４４ａｃ、７５ａｃは、化粧パネル用開口８８近傍に位置するように配置されている。
【００８８】
（５）通路Ｐの構造
図１１に、室内機本体１１を斜め下方から見上げた状態の概略外観斜視図を示す。図１２に、室内機本体１１を側板３４ｄ側から見た状態の側面視概略断面図を示す。
【００８９】
室内機本体１１側の電装部品のうち、ドレンポンプ４６から延びるドレンポンプ用配線４６ａおよびフロートスイッチ４８から延びるフロートスイッチレン用配線４８ａは、それぞれ図１１および図１２に示すように、ドレンパン４０とベルマウス４５との間に形成される通路Ｐを通過するように配置される。
【００９０】
この通路Ｐは、ドレンパン４０の通路外壁部４０ｙと、ベルマウス４５の通路内壁板４５ａおよび通路下壁板４５ｂと、によって囲まれた空間である。通路Ｐは、図１２の奥行き方向、すなわち、側壁３４ｃと略平行で、かつ、水平方向に向けて延びている。
【００９１】
通路Ｐの内側の壁面は、ベルマウス４５の通路内壁板４５ａによって構成されている。通路Ｐの外側の壁面は、ドレンパン４０の通路外壁部４０ｙによって構成されている。通路Ｐの下側の壁面は、ベルマウス４５の通路内壁板４５ａの下端近傍から延びている通路下壁板４５ｂによって構成されている。このベルマウス４５の通路下壁板４５ｂは、図１２に示すように、ドレンパン４０の通路外壁板４０Ｐの面よりも外側まで延びている。通路Ｐの上側の壁面は、ドレンパン４０の通路上壁部４０ｘによって構成されている。なお、通路内壁板４５ａの上端近傍から外側に向けて延び出しているガードリブ４５ｃも、通路Ｐの上面の一部を構成している。
【００９２】
なお、ベルマウス４５は、室内機本体１１の内側上方において図示しない他の固定部分を有しており、通路内壁板４５ａ、通路下壁板４５ｂ、ガードリブ４５ｃ等の位置している外側下方端部近傍は、自由端となっている。
【００９３】
そして、通路Ｐ近傍におけるベルマウス４５とドレンパン４０との水平方向の位置関係は、ベルマウス４５の通路下壁板４５ｂの外側端部がドレンパン４０の通路外壁部４０ｙの下端に当接すること、および、ベルマウス４５のガードリブ４５ｃの外側端部がドレンパン４０の通路外壁部４０ｙの上端に当接すること、によって互いに位置決めされている。
【００９４】
また、通路Ｐ近傍におけるベルマウス４５とドレンパン４０との垂直方向の位置関係は、ベルマウス４５の通路下壁板４５ｂの外側端部近傍の上面部分がドレンパン４０の通路外壁部４０ｙの下端近傍の下面部分に当接すること、および、ベルマウス４５のガードリブ４５ｃの上面がドレンパン４０の通路上壁部４０ｘの下面に当接すること、によって互いに位置決めされている。
【００９５】
（６）配線の通過位置
ドレンポンプ４６から延びているドレンポンプ用配線４６ａ、および、フロートスイッチ４８から延びているフロートスイッチ用配線４８ａは、いずれも、図１１および図１２に示すように、通路Ｐを通じて、電装品箱８０内の室内機本体１１まで導かれる。
【００９６】
ここで、ドレンポンプ用配線４６ａは、ドレンパン４０の上方の空間に配置されているドレンポンプ４６から延び出しており、図１１および図１２に示すように、吹出流路５３ａの外側まで延びた後、側板３４ｃと断熱材３８の間を通過してドレンパン４０の下面近傍にまで至る。その後、ドレンポンプ用配線４６ａは、内側に向かって延びた後に、ベルマウス４５の三角面部４５ｓの上面とドレンパン４０の下面の間を通過して、通路Ｐに到達する。通路Ｐ内では、ドレンポンプ用配線４６ａは、通路Ｐの長手方向に沿うように延びており、通路Ｐの電装品箱８０側の端部まで延びる。そして、ドレンポンプ用配線４６ａは、ベルマウス４５の内側防風板４５ｇの外側であって下側防風板４５ｈの上側の空間を通過して（図８参照）、電装品箱８０の本体用開口８７を通じて室内制御基板８１に接続される（図９、１０参照）。
【００９７】
なお、フロートスイッチ用配線４８ａについても、ドレンポンプ用配線４６ａと同様に設けられる。
【００９８】
（７）配線の配置作業
図１３に、配線の配置作業を行う途中の弾性変形したベルマウス４５およびその周辺の様子を表した側面視概略断面図を示す。
【００９９】
ここで、ベルマウス４５とドレンパン４０とは、ドレンポンプ用配線４６ａおよびフロートスイッチ用配線４８ａが通路Ｐに導入されるよりも前の段階で、室内機本体１１内での組み立てが完成しており、互いに位置決めされた状態で既に通路Ｐが形成されている。また、この段階で、ドレンポンプ用配線４６ａは、図１３に示すように、ドレンパン４０から延び出して、側板３４ｃと断熱材３８の間を通過し、ドレンパン４０の下面近傍にまで至り、通路Ｐと略平行に延びた状態となっている。この状態で、作業者は、ドレンポンプ用配線４６ａおよびフロートスイッチ用配線４８ａの配置作業を開始する。
【０１００】
まず、作業者は、図１３に示すように、ベルマウス４５の通路下壁板４５ｂの外側端部をつまんで、内側下方に向けてめくり上げるように弾性変形させて、ドレンパン４０の内側下端との間に入口隙間Ｄ１を生じさせる。この入口隙間Ｄ１は、ドレンポンプ用配線４６ａおよびフロートスイッチ用配線４８ａの外径よりもわずかに大きい程度になるまで生じさせる。この入口隙間Ｄ１を生じさせた状態で、作業者は、ドレンポンプ用配線４６ａおよびフロートスイッチ用配線４８ａを、これらの配線の径方向にスライドさせて入口隙間Ｄ１を通過させることにより、通路Ｐ内へ移動させる。
【０１０１】
なお、ベルマウス４５の通路内壁板４５ａ、通路下壁板４５ｂおよび、ガードリブ４５ｃが一体化されているため、このように入口隙間Ｄ１が生じている状態では、ガードリブ４５ｃについても、ベルマウス４５が弾性変形していない状態での位置からズレが生じている。このようにガードリブ４５ｃの位置にズレが生じることで、弾性変形させる前は当接していたベルマウス４５のガードリブ４５ｃの上面と、ドレンパン４０の通路上壁部４０ｘの下面と、の間に通路奥隙間Ｄ２が生じる。このように、作業者がドレンポンプ用配線４６ａおよびフロートスイッチ用配線４８ａを通路Ｐに入れようとする状態では、入口隙間Ｄ１だけでなく、通路Ｐの奥側（上方）に別の隙間である通路奥隙間Ｄ２も生じてしまう。しかし、このように通路奥隙間Ｄ２が生じても、ベルマウス４５の通路内壁板４５ａ上端近傍から延び出しているガードリブ４５ｃによって、ドレンポンプ用配線４６ａおよびフロートスイッチ用配線４８ａの通路奥隙間Ｄ２への移動を抑制することができる。
【０１０２】
（８）特徴
（８−１）
上記実施形態の室内ユニット４は、ドレンポンプ用配線４６ａおよびフロートスイッチ用配線４８ａを通路Ｐに通じさせることにより、作業者が触れにくい構造とすることができている。このため、安全性を向上させることができている。
【０１０３】
また、この通路Ｐによってドレンポンプ用配線４６ａおよびフロートスイッチ用配線４８ａが支持されているため、この部分で配線を固定するための構造や部品が不要になっている。
【０１０４】
（８−２）
また、ドレンポンプ用配線４６ａおよびフロートスイッチ用配線４８ａが通路Ｐによって覆われている部分では、二重絶縁のためのチューブ等をさらに設けなくても、安全性を向上させることができている。
【０１０５】
（８−３）
上記実施形態の室内ユニット４では、ドレンポンプ４６やフロートスイッチ４８等のドレンパン４０やベルマウス４５の上方側に配置された電装部品の配線を、その反対側であるドレンパン４０やベルマウス４５の下方側の電装品箱８０まで導いている。そして、このように、一方側から他方側までドレンパン４０やベルマウス４５を縁取るようにして配線を引きまわす際に、縁取る対象であるドレンパン４０およびベルマウス４５を流用して通路Ｐを形成させている。このため、通路Ｐを形成させるための別途新たな部品を用意する必要を無くすることができている。
【０１０６】
（８−４）
配線がドレンパンやベルマウス等を縁取るように引きまわされて配置される構成では、配線の垂れ下がり部分が生じやすく、適宜留め具等を設けて支持する必要が生じうる。
【０１０７】
これに対して、上記実施形態の空気調和装置１の室内ユニット４では、配線の垂れ下がり部分が生じやすい場合であっても、ドレンパン４０とベルマウス４５との間に形成された通路Ｐ内を通過させることで、垂れ下がり部分を生じさせないように配線を支持することができている。
【０１０８】
（８−５）
上記実施形態の室内ユニット４では、内側防風板４５ｇおよび下側防風板４５ｈが、通路Ｐの電装品箱８０側端部と、電装部品８０の本体用開口８７との間において、内側および下方を覆うことができている。このため、通路Ｐと本体用開口８７との間においても、作業者の手が触れにくい構造とすることができている。
【０１０９】
（８−６）
上記実施形態の室内ユニット４では、通路Ｐに配置する配線が通路奥隙間Ｄ２に移動してしまわないように、ガードリブ４５ｃを設けている。これにより、ドレンポンプ用配線４６ａやフロートスイッチ用配線４８ａが、通路Ｐ以外の空間に逃げ出してしまったり、ドレンパン４０とベルマウス４５との間の通路Ｐ以外の部分に挟み込まれてしまったりすることを抑制できる。
【０１１０】
なお、作業者は入口隙間Ｄ１については視認しやすく、配線を挟み込まないように作業を行うことが比較的容易にできるが、特に、通路Ｐの奥側の通路奥隙間Ｄ２に配線が入り込まないように作業をすることは、ガードリブ４５ｃが無ければ難しい。これに対して、上記実施形態の室内ユニット４では、ガードリブ４５ｃを採用することで、このような通路奥隙間Ｄ２に挟み込まれないような配線の配置作業を容易化させることができている。
【０１１１】
（８−７）
上記実施形態の室内ユニット４では、電装品箱８０の本体用開口８７は、通路Ｐの電装品箱８０側の端部と向かい合う位置に設けられている。このため、ドレンポンプ用配線４６ａやフロートスイッチ用配線４８ａを電装品箱８０内へ引き込みやすくすることができる。
【０１１２】
（９）変形例
（９−１）変形例Ａ
上記実施形態では、設置状態において、ベルマウス４５のガードリブ４５ｃの外側端部がドレンパン４０の通路外壁部４０ｙに当接している構造を例に挙げて説明した。
【０１１３】
しかし、図１４に示す室内ユニット２０４のガードリブ２４５ｃのように、設置状態において、ガードリブ２４５ｃの外側端部と通路外壁部４０ｙとを離れさせた構造としてもよい。この場合には、ドレンパン４０とベルマウス４５との通路Ｐ近傍における水平方向の位置決めは、ドレンパン４０の通路外壁部４０ｙの下端近傍と、ベルマウス４５の通路下壁板４５ｂと、が互いに当接することのみで行われるようにしてもよい。
【０１１４】
（９−２）変形例Ｂ
上記実施形態では、ベルマウス４５に設けられたガードリブ４５ｃが採用された場合について例に挙げて説明した。
【０１１５】
しかし、図１５に示す室内ユニット３０４のように、このようなガードリブ４５ｃを有しない室内ユニットであってもよい。例えば、通路Ｐを通過させる配線の外径と比べて配線の配置作業時に生じる入口隙間Ｄ１以外の隙間が小さい場合や、その他配線が挟まれにくい形状や寸法が採用されている場合には、ガードリブ４５ｃを設けなくても、配線を通路Ｐ内に安定的に配置させることができる。
【０１１６】
（９−３）変形例Ｃ
上述の変形例（Ｃ）のようにガードリブ４５ｃを設けない構造としては、例えば、図１６に示すように、中心近傍が通路Ｐ’側とは反対側に突出した形状の通路内壁板４４５ａが採用された室内ユニット４０４であってもよい。
【０１１７】
この通路内壁板４４５ａは、外側に向かうに従って上下方向が離れていくように形成されている。そして、作業者がベルマウス４５の通路下壁板４５ｂをつまんで入口隙間Ｄ１を生じさせ、配線を導入した後に通路下壁板４５ｂを放すと、配線は、通路内壁板４４５ａの外側の上下のテーパーによって通路Ｐ’の高さ方向の中心近傍に集められる。このため、配線は、上記実施形態で説明した通路奥隙間Ｄ２等の他の隙間から離れる方向に集められるため、意図しない挟み込みや通路Ｐ’以外の場所への移動を抑制できる。
【０１１８】
このような通路内壁板４４５ａでは、突出させたリブ形状を設けない場合であっても、ドレンポンプ用配線４６ａおよびフロートスイッチ用配線４８ａを通路Ｐ’内に安定的に位置させることができる。
【０１１９】
（９−４）変形例Ｄ
上記実施形態では、ベルマウス４５を弾性変形させて入口隙間Ｄ１を生じさせる場合について例に挙げて説明した。
【０１２０】
しかし、ドレンパン４０側を弾性変形させて上記入口隙間Ｄ１に相当する隙間を生じさせる構造を採用してもよい。
【０１２１】
（９−５）変形例Ｅ
上記実施形態では、ガードリブ４５ｃがベルマウス４５に設けられている場合について例に挙げて説明した。
【０１２２】
しかし、通路奥隙間Ｄ２等の意図しない隙間への配線の移動を抑制するための部材は、ベルマウス４５に設けられているものに限られない。例えば、ドレンパン４０側からベルマウス４５側に延び出したリブを、ドレンパン４０が有していてもよい。
【０１２３】
（９−６）変形例Ｆ
上記実施形態では、ドレンパン４０とベルマウス４５とが直接当接することで互いの位置を決めように配置されている場合について例に挙げて説明した。
【０１２４】
しかし、ドレンパン４０とベルマウス４５とは、他の介在部材を介して互いの位置が決められていてもよい。この場合には、上記実施形態のガードリブ４５ｃに相当する部材を、配線の配置作業時にドレンパンと介在部材の間に生じる隙間もしくはベルマウス４５と介在部材の間に生じる隙間の少なくともいずれか一方に向かう配線の移動を抑制できるようなリブ等をさらに備えていてもよい。
【０１２５】
（９−７）変形例Ｇ
上記実施形態では、通路Ｐの電装品箱８０側の端部と電装品箱８０の本体用開口８７とが離れて配置されており、内側防風板４５ｇと下側防風板４５ｈによってこの部分の配線を覆う場合について例に挙げて説明した。
【０１２６】
しかし、通路Ｐの電装品箱８０側の端部を電装品箱８０の本体用開口８７まで延ばしたり、電装品箱８０の本体用開口８７から延び出す通路を生じさせて通路Ｐの電装品箱８０側の端部まで延ばしたりする等して、通路Ｐと電装品箱８０の内部空間とが連続的に繋がる構成にしてもよい。この場合には、通路Ｐと電装品箱８０との間の配線において必要となっていた二重絶縁のためのチューブが不要になる。
【０１２７】
（９−８）変形例Ｈ
上記実施形態では、ドレンポンプ本体４６ｂやフロートスイッチ本体４８ｂ等の電装部品本体と電装品箱８０とがドレンパン４０およびベルマウス４５を介して反対側に配置されている場合を例に挙げて説明した。
【０１２８】
しかし、このような電装部品本体と電装品箱８０とは、ベルマウス４５のみ、もしくは、ドレンパン４０のみを介して配置されていてもよい。
【０１２９】
（９−９）変形例Ｉ
上記実施形態では、通路Ｐが直線的に延びるように設けられている場合を例に挙げて説明した。
【０１３０】
しかし、このような通路Ｐとしては、直線的な形状には限られず、例えば、ドレンパン４０とベルマウス４５との間で、吸込流路３５ａを取り囲むように略円弧形状に設けられていてもよい。この場合には、例えば、電装品箱８０とは反対側の端部（側板３４ｂ側の端部）に電装部品が配置されることがあっても、このような略円弧形状の通路を介して電装品箱８０まで配線を導くことができる。
【０１３１】
（その他）
なお、上記実施形態およびその変形例は、いずれも本発明の一例に過ぎず、本発明を限定するものではない。また、発明の要旨を逸脱せずに本願出願時の技術常識を用いて当業者によって実現可能な範囲で、上記実施形態およびその変形例を適宜組み合わせて得られる実施形態についても、本発明に当然に含まれる。
【産業上の利用可能性】
【０１３２】
本発明の空気調和装置の室内機は、接続配線を固定するための部材を不要にしつつ、接続配線に手が触れにくいようにすることが可能なため、電装部品箱との間で配線を介して繋がっている電装部品を備えた空気調和装置の室内機として用いた場合に特に有用である。
【符号の説明】
【０１３３】
１  空気調和装置
４  室内ユニット（室内機）
４０  ドレンパン
４１  室内ファン（ファン）
４２  室内熱交換器（熱交換器）
４５  ベルマウス
４５ｃ  ガードリブ（抑制構造）
４６  ドレンポンプ（電装部品）
４６ａ  ドレンポンプ用配線（接続配線）
４６ｂ  ドレンポンプ本体（電装部品本体）
４８  フロートスイッチ（電装部品）
４８ａ  フロートスイッチ用配線（接続配線）
４８ｂ  フロートスイッチ本体（電装部品本体）
８０  電装品箱
２４５ｃ  ガードリブ（抑制構造）
２０４、３０４、４０４  室内ユニット
４４５ａ  通路内壁板（抑制構造）
Ｄ１  入口隙間（入口）
Ｄ２  通路奥隙間（入口以外の場所で生じた隙間）
Ｐ  通路
【先行技術文献】
【特許文献】
【０１３４】
【特許文献１】特開２００１−３５５８７０号公報
【図１】
2011153749.tif 000003
【図２】
2011153749.tif 000004
【図３】
2011153749.tif 000005
【図４】
2011153749.tif 000006
【図５】
2011153749.tif 000007
【図６】
2011153749.tif 000008
【図７】
2011153749.tif 000009
【図８】
2011153749.tif 000010
【図９】
2011153749.tif 000011
【図１０】
2011153749.tif 000012
【図１１】
2011153749.tif 000013
【図１２】
2011153749.tif 000014
【図１３】
2011153749.tif 000015
【図１４】
2011153749.tif 000016
【図１５】
2011153749.tif 000017
【図１６】
2011153749.tif 000018